(57)【特許請求の範囲】
【請求項１】
照明光束を射出する照明装置と、
前記照明装置からの前記照明光束を画像情報に応じて変調する液晶パネルと、
前記液晶パネルで変調された光を投写する投写光学系と、
前記液晶パネルの光射出側に配置され、少なくとも偏光層を有する偏光板と、
前記偏光板における前記液晶パネル側の表面に貼り合わされ、無機材料からなる液晶パネル側透光性基板と、
前記偏光板における前記液晶パネル側の表面とは反対側の表面に貼り合わされ、無機材料からなる反対側透光性基板とを備え、
前記液晶パネル側透光性基板の厚みは、前記液晶パネル側透光性基板で発生する熱歪による位相差を小さくするように、前記反対側透光性基板の厚みよりも薄く、且つ、前記反対側透光性基板の厚みは、前記偏光板の温度上昇を十分抑制するように、前記液晶パネル側透光性基板の厚みより厚いことを特徴とするプロジェクタ。
【請求項２】
請求項１に記載のプロジェクタにおいて、
前記液晶パネル側透光性基板及び前記反対側透光性基板は、同一材料からなる透光性基板であることを特徴とするプロジェクタ。
【請求項３】
請求項２に記載のプロジェクタにおいて、
前記液晶パネル側透光性基板及び前記反対側透光性基板はともに、サファイア又は水晶からなる透光性基板であることを特徴とするプロジェクタ。
【請求項４】
請求項３に記載のプロジェクタにおいて、
前記サファイア又は水晶からなる透光性基板の光学軸が前記偏光層の偏光軸に略平行又は略垂直となるように、前記偏光板に対して前記サファイア又は水晶からなる透光性基板が配置されていることを特徴とするプロジェクタ。
【請求項５】
請求項１に記載のプロジェクタにおいて、
前記液晶パネル側透光性基板及び前記反対側透光性基板はともに、面内方向によって線膨張係数に差を有する透光性基板であり、
前記液晶パネル側透光性基板における最も線膨張係数が大きくなる軸方向と前記反対側透光性基板における最も線膨張係数が大きくなる軸方向とは、略同一であることを特徴とするプロジェクタ。
【請求項６】
請求項１〜５のいずれかに記載のプロジェクタにおいて、
前記液晶パネルの光入射側に配置される集光レンズをさらに備え、
前記偏光板は、少なくとも前記液晶パネルの光入射側に配置されており、
当該偏光板に貼り合わされた前記反対側透光性基板は、前記集光レンズの光射出面に貼り合わされていることを特徴とするプロジェクタ。
【請求項７】
請求項１〜５のいずれかに記載のプロジェクタにおいて、
前記照明装置からの前記照明光束を複数の色光に分離して被照明領域に導光する色分離導光光学系と、
前記液晶パネルとして、前記色分離導光光学系で分離された複数の色光のそれぞれを画像情報に応じて変調する複数の液晶パネルと、
前記複数の液晶パネルによって変調された色光が入射する複数の光入射端面及び合成された色光を射出する光射出端面を有するクロスダイクロイックプリズムとをさらに備え、
前記偏光板は、前記複数の液晶パネルのうち少なくとも１つの液晶パネルの光射出側に配置されており、
当該偏光板に貼り合わされた前記反対側透光性基板は、前記クロスダイクロイックプリズムの前記光入射端面に貼り合わされていることを特徴とするプロジェクタ。
【発明の詳細な説明】
【技術分野】
【０００１】
本発明は、プロジェクタに関する。
【背景技術】
【０００２】
従来、液晶パネルを備えるプロジェクタとして、偏光板の両面（光入射面及び光射出面）に熱伝導性の透光性基板が貼り付けられたプロジェクタが知られている（例えば、特許文献１参照。）。熱伝導性の透光性基板としては、サファイア又は水晶からなる透光性基板が用いられている。
従来のプロジェクタによれば、偏光板の両面に熱伝導性の透光性基板が貼り付けられているため、偏光板で発生した熱（光の吸収により発生する熱など）を透光性基板を介して系外に放散させることが可能となる。その結果、偏光板の温度上昇を抑制することが可能となる。
【０００３】
【特許文献１】特開２００４−１９８５９６号公報
【発明の開示】
【発明が解決しようとする課題】
【０００４】
ところで、近年、プロジェクタから投写される画像のコントラストを向上したり、コントラストむらや色むらなどを低減したりするなど、投写画像の画像品質を高くしたいという要望がある。
【０００５】
しかしながら、従来のプロジェクタにおいては、サファイア、水晶、石英、耐熱ガラス又は白板ガラスからなる透光性基板は、偏光板からの熱が伝導することで面内に熱分布が発生し、その位置による温度差によって膨張量に差ができることから、透光性基板の内部に応力が発生する。この応力によって、透光性基板を通過する光に位相差（熱歪による位相差）が発生する。熱歪による位相差が大きくなると、透光性基板を通過する光について偏光の乱れが大きくなるため、投写画像のコントラストが低下したり、面内の分布によってコントラストむらや色むらなどが発生したりしてしまい、投写画像の画像品質が低下してしまう。
【０００６】
そこで、本発明は、このような事情に鑑みてなされたもので、投写画像の画像品質を従来よりも高くすることが可能なプロジェクタを提供することを目的とする。
【課題を解決するための手段】
【０００７】
本発明の発明者は、上記した目的を達成するため鋭意研究を重ねた結果、透光性基板の厚みを薄くすることによって、熱歪による位相差を小さくすることが可能となることを見出した。すなわち、次式（１）に示すように、熱歪による位相差は、光弾性定数と熱応力と透光性基板の厚みとの積であることから、透光性基板の厚みを薄くすれば、熱歪による位相差を小さくすることができるのである。
【０００８】
δ＝Ｂ×σ×ｔ・・・（１）
δ：熱歪による位相差、Ｂ：光弾性定数、σ：熱応力、ｔ：透光性基板の厚み
【０００９】
しかしながら、透光性基板は上述のように偏光板の温度上昇を抑制する効果を有しているため、偏光板の両面に貼り付けられた２つの透光性基板の両方を薄くすると、式（１）の透光性基板の厚みｔの項が小さくなる反面、熱応力σが上昇し、熱歪による位相差δをあまり小さくすることができない。また、２つの透光性基板の両方を薄くすることにより、偏光板が高温になりやすくなるため、偏光板が劣化して偏光板の偏光特性が低下してしまう結果、投写画像のコントラストが低下する。つまり、偏光板の両面に貼り付けられた２つの透光性基板の両方を薄くした場合は、熱歪による位相差に起因した投写画像の画像品質の低下を抑制する効果が小さい上に、偏光板の温度上昇に起因した投写画像の画像品質の低下を抑制することが容易ではなくなる結果、上記した目的を達成することができない。
【００１０】
以上の知見に基づき、本発明の発明者はさらなる研究を重ねた結果、偏光板の両面に貼り付けられた２つの透光性基板のうち、液晶パネル側に配置される透光性基板（以下、液晶パネル側透光性基板という。）の厚みを液晶パネルとは反対側に配置される透光性基板（以下、反対側透光性基板という。）の厚みよりも薄くすれば、熱歪による位相差を小さくしつつ、偏光板の温度上昇を極力抑制することができ、結果として、投写画像の画像品質を従来よりも高くすることが可能となることに想到し、本発明を完成させるに至った。
【００１１】
本発明のプロジェクタは、照明光束を射出する照明装置と、前記照明装置からの前記照明光束を画像情報に応じて変調する液晶パネルと、前記液晶パネルで変調された光を投写する投写光学系と、前記液晶パネルの光入射側及び光射出側の少なくとも一方に配置され、少なくとも偏光層を有する偏光板と、前記偏光板における前記液晶パネル側の表面に貼り合わされ、無機材料からなる液晶パネル側透光性基板と、前記偏光板における前記液晶パネル側の表面とは反対側の表面に貼り合わされ、無機材料からなる反対側透光性基板とを備え、前記液晶パネル側透光性基板の厚みは、前記反対側透光性基板の厚みよりも薄いことを特徴とする。
【００１２】
このため、本発明のプロジェクタによれば、液晶パネル側透光性基板の厚みが反対側透光性基板の厚みよりも薄いことから、液晶パネル側透光性基板で発生する熱歪による位相差を小さくすることが可能となり、液晶パネル側透光性基板を通過する光について偏光の乱れの発生を低減することができる。その結果、熱歪による位相差に起因した投写画像の画像品質の低下を抑制することが可能となる。
【００１３】
また、本発明のプロジェクタは、液晶パネル側透光性基板と反対側透光性基板との両方の基板の厚みが薄いのではなく、一方の基板（液晶パネル側透光性基板）の厚みだけが薄いものであることから、他方の基板（反対側透光性基板）の厚みがある程度厚ければ、必要十分な放熱効果を得ることができ、偏光板の温度上昇を十分に抑制することが可能となる。その結果、偏光板の温度上昇に起因した投写画像の画像品質の低下を極力抑制することが可能となる。
【００１４】
したがって、本発明のプロジェクタは、投写画像の画像品質を従来よりも高くすることが可能なプロジェクタとなる。
【００１５】
ところで、反対側透光性基板の厚みが液晶パネル側透光性基板の厚みよりも薄い場合には、偏光板の温度上昇に起因した投写画像の画像品質の低下を極力抑制することが可能となる。しかしながら、この場合には、偏光板と液晶パネルとの間に、比較的厚みのある透光性基板が存在することとなるため、透光性基板が薄いものと比べて熱歪による位相差が大きくなり、それに起因して投写画像の画像品質が低下する可能性がある。
これに対し、本発明のプロジェクタによれば、偏光板と液晶パネルとの間には、比較的厚みの薄い透光性基板が存在することとなるため、熱歪による位相差に起因した投写画像の画像品質の低下を効果的に抑制することが可能となる。
【００１６】
また、本発明のプロジェクタによれば、液晶パネル側透光性基板及び反対側透光性基板の２つの基板によって偏光板を両面から挟んでいるため、所定の機械的強度を得ることができる。
【００１７】
本発明のプロジェクタにおいては、前記液晶パネル側透光性基板及び前記反対側透光性基板は、同一材料からなる透光性基板であることが好ましい。
【００１８】
このように構成することにより、液晶パネル側透光性基板と反対側透光性基板とで熱膨張が大きな軸方向が同一方向となるため、偏光板の熱変形を抑制することが可能となる。
【００１９】
本発明のプロジェクタにおいては、前記液晶パネル側透光性基板及び前記反対側透光性基板は、サファイア又は水晶からなる透光性基板であることが好ましい。
【００２０】
これらの材料からなる透光性基板は熱伝導性に非常に優れているため、偏光板で発生した熱を効率よく系外に放散させることができ、偏光板の温度上昇を効果的に抑制することが可能となる。
【００２１】
本発明のプロジェクタにおいては、前記サファイア又は水晶からなる透光性基板の光学軸が前記偏光層の偏光軸に略平行又は略垂直となるように、前記偏光板に対して前記サファイア又は水晶からなる透光性基板が配置されていることが好ましい。
【００２２】
サファイアや水晶は複屈折性を有するため、液晶パネル側透光性基板及び反対側透光性基板としてサファイア又は水晶からなる透光性基板を用いた場合には、これらの透光性基板を通過する光の偏光状態に望ましくない乱れが発生してしまう場合がある。
これに対し、本発明のプロジェクタによれば、各透光性基板は、透光性基板の光学軸が偏光層の偏光軸に略平行又は略垂直となるように配置されているため、透光性基板を通過する光の偏光状態に望ましくない乱れが発生するのを抑制することが可能となる。
【００２３】
なお、この明細書において「偏光層の偏光軸」とは、偏光層を通過する光の偏光軸のことである。
【００２４】
本発明のプロジェクタにおいては、前記液晶パネル側透光性基板及び前記反対側透光性基板はともに、面内方向によって線膨張係数に差を有する透光性基板であり、前記液晶パネル側透光性基板における最も線膨張係数が大きくなる軸方向と前記反対側透光性基板における最も線膨張係数が大きくなる軸方向とは、略同一であることが好ましい。
【００２５】
このように構成することによっても、偏光板の熱変形を抑制することが可能となる。
【００２６】
本発明のプロジェクタにおいては、前記液晶パネルの光入射側に配置される集光レンズをさらに備え、前記偏光板は、少なくとも前記液晶パネルの光入射側に配置されており、当該偏光板に貼り合わされた前記反対側透光性基板は、前記集光レンズの光射出面に貼り合わされていることが好ましい。
【００２７】
このように構成することにより、液晶パネルの光入射側に配置された偏光板（入射側偏光板）で発生した熱を、反対側透光性基板を介して熱容量の比較的大きな集光レンズに伝達することができるため、偏光板（入射側偏光板）の温度上昇をさらに抑制することが可能となる。その結果、プロジェクタの放熱性能を高めることができる。
【００２８】
本発明のプロジェクタにおいては、前記照明装置からの前記照明光束を複数の色光に分離して被照明領域に導光する色分離導光光学系と、前記液晶パネルとして、前記色分離導光光学系で分離された複数の色光のそれぞれを画像情報に応じて変調する複数の液晶パネルと、前記複数の液晶パネルによって変調された色光が入射する複数の光入射端面及び合成された色光を射出する光射出端面を有するクロスダイクロイックプリズムとをさらに備え、前記偏光板は、前記複数の液晶パネルのうち少なくとも１つの液晶パネルの光射出側に配置されており、当該偏光板に貼り合わされた前記反対側透光性基板は、前記クロスダイクロイックプリズムの前記光入射端面に貼り合わされていることが好ましい。
【００２９】
このように構成することにより、液晶パネルの光射出側に配置された偏光板（射出側偏光板）で発生した熱を、反対側透光性基板を介して熱容量の比較的大きなクロスダイクロイックプリズムに伝達することができるため、偏光板（射出側偏光板）の温度上昇をさらに抑制することが可能となる。その結果、プロジェクタの放熱性能を高めることができる。
【発明を実施するための最良の形態】
【００３０】
以下、本発明のプロジェクタについて、図に示す実施の形態に基づいて説明する。
【００３１】
［実施形態１］
図１は、実施形態１に係るプロジェクタ１０００の光学系を示す図である。
図２は、実施形態１に係るプロジェクタ１０００の要部を説明するために示す図である。図２（ａ）はクロスダイクロイックプリズム５００の周辺部分を上面から見た図であり、図２（ｂ）は図２（ａ）のＡ−Ａ断面図である。
図３は、入射側偏光板４２０Ｒに対する各透光性基板４３０Ｒ，４６０Ｒの配置状態を説明するために示す図である。
【００３２】
実施形態１に係るプロジェクタ１０００は、図１に示すように、照明装置１００と、照明装置１００からの照明光束を赤色光、緑色光及び青色光の３つの色光に分離して被照明領域に導光する色分離導光光学系２００と、色分離導光光学系２００で分離された３つの色光のそれぞれを画像情報に応じて変調する電気光学変調装置としての３つの液晶パネル４１０Ｒ，４１０Ｇ，４１０Ｂと、３つの液晶パネル４１０Ｒ，４１０Ｇ，４１０Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。これら各光学系は、筐体１０に収納されている。
【００３３】
照明装置１００は、被照明領域側に略平行な照明光束を射出する光源としての光源装置１１０と、光源装置１１０から射出される照明光束を複数の部分光束に分割するための複数の第１小レンズ１２２を有する第１レンズアレイ１２０と、第１レンズアレイ１２０の複数の第１小レンズ１２２に対応する複数の第２小レンズ１３２を有する第２レンズアレイ１３０と、光源装置１１０から射出される偏光方向の揃っていない照明光束を略１種類の直線偏光に揃える偏光変換素子１４０と、偏光変換素子１４０から射出される各部分光束を被照明領域で重畳させるための重畳レンズ１５０とを有する。
【００３４】
光源装置１１０は、楕円面リフレクタ１１４と、楕円面リフレクタ１１４の第１焦点近傍に発光中心を有する発光管１１２と、発光管１１２から被照明領域側に向けて射出される光を発光管１１２に向けて反射する副鏡１１６と、楕円面リフレクタ１１４からの集束光を略平行光として射出する凹レンズ１１８とを有する。光源装置１１０は、照明光軸１００ａｘを中心軸とする光束を射出する。
【００３５】
発光管１１２は、管球部と、管球部の両側に延びる一対の封止部とを有する。管球部は、球状に形成された石英ガラス製であって、この管球部内に配置された一対の電極と、管球部内に封入された水銀、希ガス及び少量のハロゲンとを有する。発光管１１２としては、種々の発光管を採用でき、例えば、メタルハライドランプ、高圧水銀ランプ、超高圧水銀ランプ等を採用できる。
【００３６】
楕円面リフレクタ１１４は、発光管１１２の一方の封止部に挿通・固着される筒状の首状部と、発光管１１２から放射された光を第２焦点位置に向けて反射する反射凹面とを有する。
【００３７】
副鏡１１６は、発光管１１２の管球部の略半分を覆い、楕円面リフレクタ１１４の反射凹面と対向して配置される反射手段である。副鏡１１６は、発光管１１２の他方の封止部に挿通・固着されている。副鏡１１６は、発光管１１２から放射された光のうち楕円面リフレクタ１１４に向かわない光を発光管１１２に戻し楕円面リフレクタ１１４に入射させる。
【００３８】
凹レンズ１１８は、楕円面リフレクタ１１４の被照明領域側に配置されている。そして、楕円面リフレクタ１１４からの光を第１レンズアレイ１２０に向けて射出するように構成されている。
【００３９】
第１レンズアレイ１２０は、凹レンズ１１８からの光を複数の部分光束に分割する光束分割光学素子としての機能を有し、複数の第１小レンズ１２２が照明光軸１００ａｘと直交する面内に複数行・複数列のマトリクス状に配列された構成を有する。図示による説明は省略するが、第１小レンズ１２２の外形形状は、液晶パネル４１０Ｒ，４１０Ｇ，４１０Ｂの画像形成領域の外形形状に関して相似形である。
【００４０】
第２レンズアレイ１３０は、重畳レンズ１５０とともに、第１レンズアレイ１２０の各第１小レンズ１２２の像を液晶パネル４００Ｒ，４００Ｇ，４００Ｂの画像形成領域近傍に結像させる機能を有する。第２レンズアレイ１３０は、第１レンズアレイ１２０と略同様な構成を有し、複数の第２小レンズ１３２が照明光軸１００ａｘに直交する面内に複数行・複数列のマトリクス状に配列された構成を有する。
【００４１】
偏光変換素子１４０は、第１レンズアレイ１２０により分割された各部分光束の偏光方向を、偏光方向の揃った略１種類の直線偏光として射出する偏光変換素子である。
偏光変換素子１４０は、光源装置１１０からの照明光束に含まれる偏光成分のうち一方の直線偏光成分を透過し他方の直線偏光成分を照明光軸１００ａｘに垂直な方向に反射する偏光分離層と、偏光分離層で反射された他方の直線偏光成分を照明光軸１００ａｘに平行な方向に反射する反射層と、反射層で反射された他方の直線偏光成分を一方の直線偏光成分に変換する位相差板とを有する。
【００４２】
重畳レンズ１５０は、第１レンズアレイ１２０、第２レンズアレイ１３０及び偏光変換素子１４０を経た複数の部分光束を集光して、液晶パネル４１０Ｒ，４１０Ｇ，４１０Ｂにおける画像形成領域近傍に重畳させるための光学素子である。重畳レンズ１５０は、重畳レンズ１５０の光軸と照明装置１００の照明光軸１００ａｘとが略一致するように配置されている。なお、重畳レンズ１５０は、複数のレンズを組み合わせた複合レンズで構成されていてもよい。
【００４３】
色分離導光光学系２００は、ダイクロイックミラー２１０，２２０と、反射ミラー２３０，２４０，２５０と、入射側レンズ２６０と、リレーレンズ２７０とを有する。色分離導光光学系２００は、照明装置１００から射出される照明光束を赤色光、緑色光及び青色光の３つの色光に分離して、それぞれの色光を照明対象となる液晶パネル４１０Ｒ，４１０Ｇ，４１０Ｂに導く機能を有する。
【００４４】
ダイクロイックミラー２１０，２２０は、所定の波長領域の光束を反射し他の波長領域の光束を透過する波長選択膜が基板上に形成された光学素子である。光路前段に配置されるダイクロイックミラー２１０は、赤色光成分を反射し、その他の色光成分を透過させるミラーである。光路後段に配置されるダイクロイックミラー２２０は、緑色光成分を反射し、青色光成分を透過させるミラーである。
【００４５】
ダイクロイックミラー２１０で反射された赤色光成分は、反射ミラー２３０により反射され、集光レンズ３００Ｒを介して赤色光用の液晶パネル４１０Ｒに入射する。集光レンズ３００Ｒは、重畳レンズ１５０からの各部分光束を各主光線に対して略平行な光束に変換するために設けられている。なお、他の集光レンズ３００Ｇ，３００Ｂも、集光レンズ３００Ｒと同様に構成されている。
【００４６】
ダイクロイックミラー２１０を通過した緑色光成分及び青色光成分のうち緑色光成分は、ダイクロイックミラー２２０で反射され、集光レンズ３００Ｇを通過して緑色光用の液晶パネル４１０Ｇに入射する。一方、青色光成分は、ダイクロイックミラー２２０を透過し、入射側レンズ２６０、入射側の反射ミラー２４０、リレーレンズ２７０、射出側の反射ミラー２５０及び集光レンズ３００Ｂを通過して青色光用の液晶パネル４１０Ｂに入射する。入射側レンズ２６０、リレーレンズ２７０及び反射ミラー２４０，２５０は、ダイクロイックミラー２２０を透過した青色光成分を液晶パネル４１０Ｂまで導く機能を有する。
【００４７】
なお、青色光の光路にこのような入射側レンズ２６０、リレーレンズ２７０及び反射ミラー２４０，２５０が設けられているのは、青色光の光路の長さが他の色光の光路の長さよりも長いため、光の発散等による光利用効率の低下を防止するためである。実施形態１に係るプロジェクタ１０００においては、青色光の光路の長さが長いのでこのような構成とされているが、赤色光の光路の長さを長くして、入射側レンズ２６０、リレーレンズ２７０及び反射ミラー２４０，２５０を赤色光の光路に用いる構成も考えられる。
【００４８】
液晶パネル４１０Ｒ，４１０Ｇ，４１０Ｂは、照明光束を画像情報に応じて変調するものであり、照明装置１００の照明対象となる。
赤色光用の液晶パネル４１０Ｒは、一対の透明なガラス基板４１２Ｒ，４１４Ｒに電気光学物質である液晶を封入したものであり、例えば、ポリシリコンＴＦＴをスイッチング素子として、与えられた画像信号に従って、入射側偏光板４２０Ｒから射出された１種類の直線偏光の偏光方向を変調する。他の色光用の液晶パネル４１０Ｇ，４１０Ｂも、液晶パネル４１０Ｒと同様に構成されている。液晶パネル４１０Ｒ，４１０Ｇ，４１０Ｂは、図示を省略したが、例えばアルミニウム製のダイキャストフレームからなる液晶パネル保持枠に保持されている。
【００４９】
入射側偏光板４２０Ｒ，４２０Ｇ，４２０Ｂは、図２に示すように、集光レンズ３００Ｒ，３００Ｇ，３００Ｂと液晶パネル４１０Ｒ，４１０Ｇ，４１０Ｂとの間に配置され、集光レンズ３００Ｒ，３００Ｇ，３００Ｂから射出された光のうち、所定の方向に軸を有する直線偏光のみを透過し、その他の光を吸収する機能を有する。
【００５０】
入射側偏光板４２０Ｒは、偏光層２０を有する。偏光層２０としては、例えばポリビニルアルコール（ＰＶＡ）をヨウ素又は二色性染料で染色し１軸延伸して、当該染料の分子を一方向に配列させるように形成された偏光層を好ましく用いることができる。このように１軸延伸処理が施された偏光層２０は、１軸延伸方向に平行な方向の偏光を吸収する一方、１軸延伸方向に垂直な方向の偏光を透過する機能を有する。他の入射側偏光板４２０Ｇ，４２０Ｂも、入射側偏光板４２０Ｒと同様に構成されている。
【００５１】
入射側偏光板４２０Ｒ，４２０Ｇ，４２０Ｂの液晶パネル側（光射出側）の面には、液晶パネル側透光性基板としての透光性基板４３０Ｒ，４３０Ｇ，４３０Ｂがそれぞれ接着層Ｃを介して貼り付けられている。透光性基板４３０Ｒ，４３０Ｇ，４３０Ｂの光射出面には、図示しない反射防止層が形成されている。透光性基板４３０Ｒ，４３０Ｇ，４３０Ｂは、例えばサファイアからなる透光性基板である。サファイアからなる透光性基板は、熱伝導率が約４０Ｗ／（ｍ・Ｋ）と高い上、硬度も非常に高く、熱膨張率は小さく、傷がつきにくく透明度が高い。なお、中程度の輝度として安価性を重視する場合には、約１０Ｗ／（ｍ・Ｋ）の熱伝導率を有する水晶からなる透光性基板を用いてもよい。透光性基板４３０Ｒ，４３０Ｇ，４３０Ｂの厚さは、例えば０．５ｍｍである。
【００５２】
入射側偏光板４２０Ｒ，４２０Ｇ，４２０Ｂにおける液晶パネル側の面とは反対側（光入射側）の面には、反対側透光性基板としての透光性基板４６０Ｒ，４６０Ｇ，４６０Ｂがそれぞれ接着層Ｃを介して貼り付けられている。透光性基板４６０Ｒ，４６０Ｇ，４６０Ｂの光入射面には、図示しない反射防止層が形成されている。透光性基板４６０Ｒ，４６０Ｇ，４６０Ｂも、透光性基板４３０Ｒ，４３０Ｇ，４３０Ｂと同様に、例えばサファイアからなる透光性基板である。透光性基板４６０Ｒ，４６０Ｇ，４６０Ｂの厚さは、例えば１．５ｍｍである。
【００５３】
液晶パネル側の透光性基板４３０Ｒと反対側の透光性基板４６０Ｒとは、図３に示すように、各透光性基板４３０Ｒ，４６０Ｒの光学軸が入射側偏光板４２０Ｒにおける偏光層２０の偏光軸（偏光層２０を通過する光の偏光軸）に略平行となるように配置されている。他の入射側偏光板４２０Ｇ，４２０Ｂにおける液晶パネル側の透光性基板４３０Ｇ，４３０Ｂと反対側の透光性基板４６０Ｇ，４６０Ｂについても同様である。
【００５４】
射出側偏光板４４０Ｒ，４４０Ｇ，４４０Ｂは、液晶パネル４１０Ｒ，４１０Ｇ，４１０Ｂとクロスダイクロイックプリズム５００との間に配置され、液晶パネル４１０Ｒ，４１０Ｇ，４１０Ｂから射出された光のうち、所定の方向に軸を有する直線偏光のみを透過し、その他の光を吸収する機能を有する。
【００５５】
射出側偏光板４４０Ｒは、偏光層４０を有する。偏光層４０としては、入射側偏光板４２０Ｒのものと同様の材料を用いることができる。他の射出側偏光板４４０Ｇ，４４０Ｂも、射出側偏光板４４０Ｒと同様に構成されている。
【００５６】
射出側偏光板４４０Ｒ，４４０Ｇ，４４０Ｂにおける液晶パネル側（光入射側）の面には、液晶パネル側透光性基板としての透光性基板４５０Ｒ，４５０Ｇ，４５０Ｂがそれぞれ接着層Ｃを介して貼り付けられている。透光性基板４５０Ｒ，４５０Ｇ，４５０Ｂの光入射面には、図示しない反射防止層が形成されている。透光性基板４５０Ｒ，４５０Ｇ，４５０Ｂも、透光性基板４３０Ｒ，４３０Ｇ，４３０Ｂなどと同様に、例えばサファイアからなる透光性基板である。透光性基板４５０Ｒ，４５０Ｇ，４５０Ｂの厚さは、例えば０．５ｍｍである。
【００５７】
射出側偏光板４４０Ｒ，４４０Ｇ，４４０Ｂにおける液晶パネル側の面とは反対側（光射出側）の面には、反対側透光性基板としての透光性基板４７０Ｒ，４７０Ｇ，４７０Ｂがそれぞれ接着層Ｃを介して貼り付けられている。透光性基板４７０Ｒ，４７０Ｇ，４７０Ｂの光射出面には、図示しない反射防止層が形成されている。透光性基板４７０Ｒ，４７０Ｇ，４７０Ｂも、透光性基板４３０Ｒ，４３０Ｇ，４３０Ｂなどと同様に、例えばサファイアからなる透光性基板である。透光性基板４７０Ｒ，４７０Ｇ，４７０Ｂの厚さは、例えば１．５ｍｍである。
【００５８】
透光性基板４３０Ｒ，４３０Ｇ，４３０Ｂ，４５０Ｒ，４５０Ｇ，４５０Ｂの下端部には、各透光性基板と筐体１０との間で熱を伝達する熱伝導部材１４，１６が配設されている。
【００５９】
液晶パネル側の透光性基板４５０Ｒと反対側の透光性基板４７０Ｒとは、図示による説明は省略するが、入射側偏光板の場合と同様に、射出側偏光板４４０Ｒにおける偏光層４０の偏光軸に略平行となるように配置されている。他の射出側偏光板４４０Ｇ，４４０Ｂにおける液晶パネル側の透光性基板４５０Ｇ，４５０Ｂと反対側の透光性基板４７０Ｇ，４７０Ｂについても同様である。
【００６０】
入射側偏光板４２０Ｒ，４２０Ｇ，４２０Ｂにおける偏光層２０の端面及び射出側偏光板４４０Ｒ，４４０Ｇ，４４０Ｂにおける偏光層４の端面は、接着層Ｃで取り囲まれている。接着層Ｃに用いる接着剤としては、例えば紫外線硬化型の接着剤や可視光短波長硬化型の接着剤などを好適に用いることができる。
【００６１】
これらの入射側偏光板４２０Ｒ，４２０Ｇ，４２０Ｂ及び射出側偏光板４４０Ｒ，４４０Ｇ，４４０Ｂは、互いの偏光軸の方向が直交するように設定・配置されている。
【００６２】
クロスダイクロイックプリズム５００は、各射出側偏光板４４０Ｒ，４４０Ｇ，４４０Ｂから射出された各色光ごとに変調された光学像を合成して、カラー画像を形成する光学素子である。クロスダイクロイックプリズム５００は、液晶パネル４１０Ｒ，４１０Ｇ，４１０Ｂで変調された色光をそれぞれ入射する３つの光入射端面と、合成された色光を射出する光射出端面とを有する。クロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
クロスダイクロイックプリズム５００は、熱伝導性のスペーサ１２（図２（ｂ）参照。）を介して筐体１０に配設されている。
【００６３】
クロスダイクロイックプリズム５００から射出されたカラー画像は、投写光学系６００によって拡大投写され、スクリーンＳＣＲ上で大画面画像を形成する。
【００６４】
なお、ここでは図示を省略したが、プロジェクタ１０００内には、各光学系などを冷却するための少なくとも１つのファン及び複数の冷却風流路が設けられている。プロジェクタ１０００の外部から取り込まれた空気は、これらファン及び複数の冷却風流路によってプロジェクタ１０００内を循環し、外部へと排出される。図２に示すように、筐体１０に設けられた通風孔（冷却風流路）から流れ込む空気が、クロスダイクロイックプリズム５００などからの放熱を促進させる。
【００６５】
このように構成された実施形態１に係るプロジェクタ１０００について説明するにあたり、以下では説明を簡略化するため、３つの色光の光路のうち赤色光の光路に配置された部材の構成をもとにして、実施形態１に係るプロジェクタ１０００をさらに詳細に説明する。
【００６６】
実施形態１に係るプロジェクタ１０００によれば、入射側偏光板４２０Ｒに貼り付けられた２つの透光性基板４３０Ｒ，４６０Ｒのうち液晶パネル側の透光性基板４３０Ｒの厚みは、反対側の透光性基板４６０Ｒの厚みよりも薄く、射出側偏光板４４０Ｒに貼り付けられた２つの透光性基板４５０Ｒ，４７０Ｒのうち液晶パネル側の透光性基板４５０Ｒの厚みは、反対側の透光性基板４７０Ｒの厚みよりも薄い。このため、液晶パネル側の透光性基板４３０Ｒ，４５０Ｒで発生する熱歪による位相差を小さくすることが可能となり、液晶パネル側の透光性基板４３０Ｒ，４５０Ｒを通過する光について偏光の乱れの発生を低減することができる。その結果、熱歪による位相差に起因した投写画像の画像品質の低下を抑制することが可能となる。
【００６７】
また、実施形態１に係るプロジェクタ１０００は、液晶パネル側の透光性基板４３０Ｒ，４５０Ｒと反対側の透光性基板４６０Ｒ，４７０Ｒとの両方の基板の厚みが薄いのではなく、一方の基板（液晶パネル側の透光性基板４３０Ｒ，４５０Ｒ）の厚みだけが薄いものであることから、他方の基板（反対側の透光性基板４６０Ｒ，４７０Ｒ）の厚みがある程度厚ければ、必要十分な放熱効果を得ることができ、入射側偏光板４２０Ｒ及び射出側偏光板４４０Ｒの温度上昇を十分に抑制することが可能となる。その結果、偏光板の温度上昇に起因した投写画像の画像品質の低下を極力抑制することが可能となる。
【００６８】
したがって、実施形態１に係るプロジェクタ１０００は、投写画像の画像品質を従来よりも高くすることが可能なプロジェクタとなる。
【００６９】
また、実施形態１に係るプロジェクタ１０００によれば、入射側偏光板４２０Ｒと液晶パネル４１０Ｒとの間及び液晶パネル４１０Ｒと射出側偏光板４４０Ｒとの間には、比較的厚みの薄い透光性基板４３０Ｒ，４５０Ｒが存在することとなるため、熱歪による位相差に起因した投写画像の画像品質の低下を効果的に抑制することが可能となる。
【００７０】
また、実施形態１に係るプロジェクタ１０００によれば、透光性基板４３０Ｒ，４６０Ｒの２つの基板によって入射側偏光板４２０Ｒを両面から挟んでおり、透光性基板４５０Ｒ，４７０Ｒの２つの基板によって射出側偏光板４４０Ｒを両面から挟んでいるため、所定の機械的強度を得ることができる。
【００７１】
実施形態１に係るプロジェクタ１０００においては、液晶パネル側の透光性基板４３０Ｒ及び反対側の透光性基板４６０Ｒは、同一材料からなる透光性基板であるため、液晶パネル側の透光性基板４３０Ｒと反対側の透光性基板４６０Ｒとで熱膨張が大きな軸方向が同一方向となり、入射側偏光板４２０Ｒの熱変形を抑制することが可能となる。射出側偏光板についても同様に、液晶パネル側の透光性基板４５０Ｒ及び反対側の透光性基板４７０Ｒは、同一材料からなる透光性基板であるため、液晶パネル側の透光性基板４５０Ｒと反対側の透光性基板４７０Ｒとで熱膨張が大きな軸方向が同一方向となり、射出側偏光板４４０Ｒの熱変形を抑制することが可能となる。
【００７２】
実施形態１に係るプロジェクタ１０００においては、透光性基板４３０Ｒ，４５０Ｒ，４６０Ｒ，４７０Ｒは、サファイアからなる透光性基板である。サファイアからなる透光性基板は熱伝導性に非常に優れているため、入射側偏光板４２０Ｒ及び射出側偏光板４４０Ｒで発生した熱を効率よく系外に放散させることができ、入射側偏光板４２０Ｒ及び射出側偏光板４４０Ｒの温度上昇を効果的に抑制することが可能となる。
【００７３】
実施形態１に係るプロジェクタ１０００においては、透光性基板４３０Ｒ，４６０Ｒの光学軸が偏光層２０の偏光軸に略平行となるように、入射側偏光板４２０Ｒに対して透光性基板４３０Ｒ，４６０Ｒが配置されており、透光性基板４５０Ｒ，４７０Ｒの光学軸が偏光層４０の偏光軸に略平行となるように、射出側偏光板４４０Ｒに対して透光性基板４５０Ｒ，４７０Ｒが配置されているため、各透光性基板を通過する光の偏光状態に望ましくない乱れが発生するのを抑制することが可能となる。
【００７４】
実施形態１に係るプロジェクタ１０００においては、入射側偏光板４２０Ｒと透光性基板４３０Ｒ，４５０Ｒ及び射出側偏光板４４０Ｒと透光性基板４５０Ｒ，４７０Ｒは、それぞれ接着剤によって貼り合わされているため、各部材間の界面における表面反射の発生が抑制され、光透過率を高めることが可能となる。また、入射側偏光板４２０Ｒ、射出側偏光板４４０Ｒ及び透光性基板４３０Ｒ，４５０Ｒ，４６０Ｒ，４７０Ｒの線膨張係数がそれぞれ異なる場合であっても、各部材間の貼り合わせ面における剥離が起こりにくくなり、長期信頼性の低下を抑制することが可能となる。
【００７５】
実施形態１に係るプロジェクタ１０００においては、各光学系を内部に収納する筐体１０と、透光性基板４３０Ｒ，４６０Ｒと筐体１０との間で熱を伝達する熱伝導部材１４，１６とをさらに備える。これにより、入射側偏光板４２０Ｒ及び射出側偏光板４４０Ｒで発生した熱は、透光性基板４３０Ｒ，４５０Ｒ及び熱伝導部材１４，１６を介し筐体１０に放散されるようになるため、プロジェクタ１０００の放熱性能を高めることができる。なお、熱伝導部材１４，１６としては、アルミニウムなどの金属からなる部材を好適に用いることができる。
【００７６】
実施形態１に係るプロジェクタ１０００においては、透光性基板４３０Ｒ，４５０Ｒを冷却する冷却風流路が設けられている。これにより、冷却風流路からの冷却風によって透光性基板４３０Ｒ，４５０Ｒを冷却することができるため、透光性基板４３０Ｒ，４５０Ｒの温度上昇を抑制し、入射側偏光板４２０Ｒ及び射出側偏光板４４０Ｒで発生した熱を効率的に除去することができる。
【００７７】
［実施形態２］
図４は、実施形態２に係るプロジェクタ１００２の要部を説明するために示す図である。図４（ａ）はクロスダイクロイックプリズム５００の周辺部分を上面から見た図であり、図４（ｂ）は図４（ａ）のＡ−Ａ断面図である。なお、図４において、図２と同一の部材については同一の符号を付し、詳細な説明は省略する。
【００７８】
実施形態２に係るプロジェクタ１００２は、基本的には実施形態１に係るプロジェクタ１０００とよく似た構成を有しているが、入射側偏光板に貼り合わされた透光性基板が集光レンズに接着されている点及び射出側偏光板に貼り合わされた透光性基板がクロスダイクロイックプリズムに接着されている点で、実施形態１に係るプロジェクタ１０００とは異なる。
【００７９】
すなわち、実施形態２に係るプロジェクタ１００２においては、図４に示すように、入射側偏光板４２０Ｒに貼り合わされた反対側透光性基板としての透光性基板４６０Ｒは、集光レンズ３００Ｒの光射出面に接着層を介して接着されている。他の透光性基板４６０Ｇ，４６０Ｂも、集光レンズ３００Ｇ，３００Ｂの光射出面にそれぞれ接着されている。
また、射出側偏光板４４０Ｒに貼り合わされた反対側透光性基板としての透光性基板４７０Ｒは、クロスダイクロイックプリズム５００の光入射端面に接着層を介して接着されている。他の透光性基板４７０Ｇ，４７０Ｂも、クロスダイクロイックプリズム５００の光入射端面にそれぞれ接着されている。
【００８０】
このように、実施形態２に係るプロジェクタ１００２は、入射側偏光板に貼り合わされた透光性基板が集光レンズに接着されている点及び射出側偏光板に貼り合わされた透光性基板がクロスダイクロイックプリズムに接着されている点で、実施形態１に係るプロジェクタ１０００とは異なるが、実施形態１に係るプロジェクタ１０００の場合と同様に、入射側偏光板４２０Ｒに貼り付けられた２つの透光性基板４３０Ｒ，４６０Ｒのうち液晶パネル側の透光性基板４３０Ｒの厚みは、反対側の透光性基板４６０Ｒの厚みよりも薄く、射出側偏光板４４０Ｒに貼り付けられた２つの透光性基板４５０Ｒ，４７０Ｒのうち液晶パネル側の透光性基板４５０Ｒの厚みは、反対側の透光性基板４７０Ｒの厚みよりも薄い。その結果、投写画像の画像品質を従来よりも高くすることが可能なプロジェクタとなる。
【００８１】
実施形態２に係るプロジェクタ１００２においては、入射側偏光板４２０Ｒ，４２０Ｇ，４２０Ｂに貼り合わされた透光性基板４６０Ｒ，４６０Ｇ，４６０Ｂは、集光レンズ３００Ｒ，３００Ｇ，３００Ｂの光射出面に接着されている。これにより、入射側偏光板４２０Ｒ，４２０Ｇ，４２０Ｂで発生した熱を、透光性基板４６０Ｒ，４６０Ｇ，４６０Ｂを介して熱容量の比較的大きな集光レンズ３００Ｒ，３００Ｇ，３００Ｂに伝達することができるため、入射側偏光板４２０Ｒ，４２０Ｇ，４２０Ｂの温度上昇をさらに抑制することが可能となる。その結果、プロジェクタ１００２の放熱性能を高めることができる。
【００８２】
実施形態２に係るプロジェクタ１００２においては、射出側偏光板４４０Ｒ，４４０Ｇ，４４０Ｂに貼り合わされた透光性基板４７０Ｒ，４７０Ｇ，４７０Ｂは、クロスダイクロイックプリズム５００の各光入射端面に接着されている。これにより、射出側偏光板４４０Ｒ，４４０Ｇ，４４０Ｂで発生した熱を、透光性基板４７０Ｒ，４７０Ｇ，４７０Ｂを介して熱容量の比較的大きなクロスダイクロイックプリズム５００に伝達することができるため、射出側偏光板４４０Ｒ，４４０Ｇ，４４０Ｂの温度上昇をさらに抑制することが可能となる。その結果、プロジェクタ１００２の放熱性能を高めることができる。
【００８３】
実施形態２に係るプロジェクタ１００２は、入射側偏光板に貼り合わされた透光性基板が集光レンズに接着されている点及び射出側偏光板に貼り合わされた透光性基板がクロスダイクロイックプリズムに接着されている点以外の点では、実施形態１に係るプロジェクタ１０００と同様の構成を有するため、実施形態１に係るプロジェクタ１０００が有する効果のうち該当する効果をそのまま有する。
【００８４】
［実施形態３］
図５は、実施形態３に係るプロジェクタ１００４の要部を説明するために示す図である。なお、図５において、図２と同一の部材については同一の符号を付し、詳細な説明は省略する。
【００８５】
実施形態３に係るプロジェクタ１００４は、基本的には実施形態１に係るプロジェクタ１０００とよく似た構成を有しているが、偏光板が支持層をさらに有する点で、実施形態１に係るプロジェクタ１０００とは異なる。
【００８６】
すなわち、実施形態３に係るプロジェクタ１００４においては、入射側偏光板４２２Ｒは、図５に示すように、偏光層２０と、偏光層２０における液晶パネル４１０Ｒとは反対側（集光レンズ３００Ｒ側）に配置され偏光層２０を支持する支持層２２とを有する。支持層２２は、偏光層２０が延伸状態から元の状態に戻ろうとするのを規制する機能を有する。支持層２２としては、トリアセチルセルロース（ＴＡＣ）からなる支持層を好ましく用いることができる。他の入射側偏光板４２２Ｇ，４２２Ｂも、入射側偏光板４２２Ｒと同様に構成されている。
【００８７】
また、射出側偏光板４４２Ｒは、偏光層４０と、偏光層４０における液晶パネル４１０Ｒとは反対側（クロスダイクロイックプリズム５００側）に配置され偏光層４０を支持する支持層４２とを有する。支持層４２は、偏光層４０が延伸状態から元の状態に戻ろうとするのを規制する機能を有する。支持層４２としては、トリアセチルセルロース（ＴＡＣ）からなる支持層を好ましく用いることができる。他の射出側偏光板４４２Ｇ，４４２Ｂも、射出側偏光板４４２Ｒと同様に構成されている。
【００８８】
このように、実施形態３に係るプロジェクタ１００４は、偏光板が支持層をさらに有する点で、実施形態１に係るプロジェクタ１０００とは異なるが、実施形態１に係るプロジェクタ１０００の場合と同様に、入射側偏光板４２２Ｒに貼り付けられた２つの透光性基板４３０Ｒ，４６０Ｒのうち液晶パネル側の透光性基板４３０Ｒの厚みは、反対側の透光性基板４６０Ｒの厚みよりも薄く、射出側偏光板４４２Ｒに貼り付けられた２つの透光性基板４５０Ｒ，４７０Ｒのうち液晶パネル側の透光性基板４５０Ｒの厚みは、反対側の透光性基板４７０Ｒの厚みよりも薄い。その結果、投写画像の画像品質を従来よりも高くすることが可能なプロジェクタとなる。
【００８９】
実施形態３に係るプロジェクタ１００４は、偏光板が支持層をさらに有する点以外の点では、実施形態１に係るプロジェクタ１０００と同様の構成を有するため、実施形態１に係るプロジェクタ１０００が有する効果のうち該当する効果をそのまま有する。
【００９０】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。
【００９１】
（１）上記各実施形態においては、液晶パネル側透光性基板及び反対側透光性基板が同一材料からなる透光性基板である場合を例示して説明したが、本発明はこれに限定されるものではなく、液晶パネル側透光性基板及び反対側透光性基板が異なる材料からなる透光性基板であってもよい。この場合において、液晶パネル側透光性基板及び反対側透光性基板がともに、面内方向によって線膨張係数に差を有する透光性基板であれば、液晶パネル側透光性基板における最も線膨張係数が大きくなる軸方向と反対側透光性基板における最も線膨張係数が大きくなる軸方向とが、略同一であることが好ましい。これにより、偏光板（入射側偏光板又は射出側偏光板）の熱変形を抑制することが可能となる。
【００９２】
（２）上記各実施形態においては、液晶パネル側透光性基板と反対側透光性基板とが、各透光性基板の光学軸が偏光板（入射側偏光板又は射出側偏光板）における偏光層の偏光軸に略平行となるように配置されている場合を例示して説明したが、本発明はこれに限定されるものではなく、液晶パネル側透光性基板と反対側透光性基板とが、各透光性基板の光学軸が偏光板（入射側偏光板又は射出側偏光板）における偏光層の偏光軸に略垂直となるように配置されていてもよい。
【００９３】
（３）上記各実施形態においては、３つの入射側偏光板及び３つの射出側偏光板の両面に貼り合わされた透光性基板のすべてが、反対側透光性基板よりも液晶パネル側透光性基板の厚みが薄くなるように構成されている場合を例示したが、本発明はこれに限定されるものではなく、３つの入射側偏光板及び３つの射出側偏光板のうち例えば１つの偏光板の両面に貼り合わされた透光性基板が、反対側透光性基板よりも液晶パネル側透光性基板の厚みが薄くなるように構成されたプロジェクタも本発明の範囲に含まれる。
【００９４】
（４）上記実施形態２においては、３つの入射側偏光板に貼り合わされた反対側透光性基板のすべてが集光レンズに接着され、３つの射出側偏光板に貼り合わされた反対側透光性基板のすべてがクロスダイクロイックプリズムの光入射端面に接着された場合を例示して説明したが、本発明はこれに限定されるものではなく、３つの入射側偏光板に貼り合わされた反対側透光性基板のうち例えば１つの反対側透光性基板が集光レンズに接着されているプロジェクタや、３つの射出側偏光板に貼り合わされた反対側透光性基板のうち例えば１つの反対側透光性基板がクロスダイクロイックプリズムの光入射端面に接着されているプロジェクタも本発明の範囲に含まれる。
【００９５】
（５）上記各実施形態においては、液晶パネル側透光性基板及び反対側透光性基板がサファイアからなる透光性基板である場合を例示して説明したが、本発明はこれに限定されるものではなく、水晶、石英、耐熱ガラス（硬質ガラス）、結晶化ガラス、白板ガラス又は立方晶の焼結体などからなる透光性基板であってもよい。
【００９６】
（６）上記各実施形態においては、リフレクタとして、楕円面リフレクタを用いたが、本発明はこれに限定されるものではなく、放物面リフレクタも好ましく用いることができる。
【００９７】
（７）上記各実施形態においては、発光管に配設される反射手段として副鏡を用いたが、本発明はこれに限定されるものではなく、反射手段として反射膜を用いることも好ましい。また、上記各実施形態においては、発光管に反射手段としての副鏡が配設されたプロジェクタを例示して説明したが、本発明はこれに限定されるものではなく、副鏡が配設されていないプロジェクタに本発明を適用することも可能である。
【００９８】
（８）上記各実施形態においては、光均一化光学系として、レンズアレイからなるレンズインテグレータ光学系を用いたが、本発明はこれに限定されるものではなく、ロッド部材からなるロッドインテグレータ光学系をも好ましく用いることができる。
【００９９】
（９）上記各実施形態においては、３つの型液晶パネルを用いたプロジェクタを例示して説明したが、本発明はこれに限定されるものではなく、１つ、２つ又は４つ以上の液晶パネルを用いたプロジェクタにも適用可能である。
【０１００】
（１０）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【０１０１】
【図１】実施形態１に係るプロジェクタ１０００の光学系を示す図。
【図２】実施形態１に係るプロジェクタ１０００の要部を説明するために示す図。
【図３】入射側偏光板４２０Ｒに対する各透光性基板４３０Ｒ，４６０Ｒの配置状態を説明するために示す図。
【図４】実施形態２に係るプロジェクタ１００２の要部を説明するために示す図。
【図５】実施形態３に係るプロジェクタ１００４の要部を説明するために示す図。
【符号の説明】
【０１０２】
１０…筐体、１２…熱伝導性のスペーサ、１４，１６…熱伝導部材、２０，４０…偏光層、２２，４２…支持層、１００…照明装置、１００ａｘ…照明光軸、１１０…光源装置、１１２…発光管、１１４…楕円面リフレクタ、１１６…副鏡、１１８…凹レンズ、１２０…第１レンズアレイ、１２２…第１小レンズ、１３０…第２レンズアレイ、１３２…第２小レンズ、１４０…偏光変換素子、１５０…重畳レンズ、２００…色分離導光光学系、２１０，２２０…ダイクロイックミラー、２３０，２４０，２５０…反射ミラー、２６０…入射側レンズ、２７０…リレーレンズ、３００Ｒ，３００Ｇ，３００Ｂ…集光レンズ、４１０Ｒ，４１０Ｇ，４１０Ｂ…液晶パネル、４１２Ｒ，４１２Ｇ，４１２Ｂ，４１４Ｒ，４１４Ｇ，４１４Ｂ…ガラス基板、４２０Ｒ，４２０Ｇ，４２０Ｂ，４２２Ｒ，４２２Ｇ，４２２Ｂ…入射側偏光板、４３０Ｒ，４３０Ｇ，４３０Ｂ，４５０Ｒ，４５０Ｇ，４５０Ｂ，４６０Ｒ，４６０Ｇ，４６０Ｂ，４７０Ｒ，４７０Ｇ，４７０Ｂ…透光性基板、４４０Ｒ，４４０Ｇ，４４０Ｂ，４４２Ｒ，４４２Ｇ，４４２Ｂ…射出側偏光板、５００…クロスダイクロイックプリズム、６００…投写光学系、１０００…プロジェクタ、Ｃ…接着層、ＳＣＲ…スクリーン
【図１】
0004442687.tif 000002
【図２】
0004442687.tif 000003
【図４】
0004442687.tif 000004
【図５】
0004442687.tif 000005
【図３】
0004442687.tif 000006